(57)【要約】【課題】  冷房運転時、除湿運転時、暖房運転時、送風運転時等、いかなる運転モードにおいてもフィルタの酵素に水分を供給することができるとともに、アレルゲンの不活性化率を高めることができる空気処理装置を提供すること。【解決手段】  フィルタ本体にアレルゲンを不活性化する機能を有する酵素を具備させたアレルゲン不活性化フィルタ１８と、空気取入口１１から取り入れられた空気中の水蒸気量を増加させる加湿器１７とを具備する空調用室内ユニット１０ａであって、加湿器１７を通過した空気の少なくとも一部が、アレルゲン不活性化フィルタ１８の上流側に導かれるように構成されていることを特徴とする。【選択図】  図１
2006242393.tif 000002
【特許請求の範囲】
【請求項１】
室内または室外の空気を取り入れるための空気取入口と、
前記空気取入口から取り入れられた空気を冷却または加熱するための室内熱交換器と、
前記室内熱交換器で熱交換された空気を室内に戻すための空気吹出口と、
前記空気取入口から空気を取り入れるとともに、前記空気吹出口から室内に熱交換された空気を吹き出させるための送風機と、
フィルタ本体にアレルゲンを不活性化する機能を有する酵素を具備させたアレルゲン不活性化フィルタと、
前記空気取入口から取り入れられた空気中の水蒸気量を増加させる加湿器とを具備する空調用室内ユニットであって、
前記加湿器を通過した空気の少なくとも一部が、前記アレルゲン不活性化フィルタの上流側に導かれるように構成されていることを特徴とする空調用室内ユニット。
【請求項２】
前記アレルゲン不活性化フィルタが、前記室内熱交換器の下流側に配置されていることを特徴とする請求項１に記載の空調用室内ユニット。
【請求項３】
前記加湿器を通過した空気の全てが、前記アレルゲン不活性化フィルタの上流側に導かれるとともに、前記アレルゲン不活性化フィルタを通過した空気の全てが、再び前記加湿器の上流側に導かれ循環するように構成されていることを特徴とする請求項１または２に記載の空調用室内ユニット。
【請求項４】
請求項１から３のいずれか一項に記載の空調用室内ユニットと、
冷媒を圧縮するための圧縮機、および冷媒と室外の空気との熱交換を行わせるための室外熱交換器を有する空調用室外ユニットと、
これら空調用室内ユニットおよび空調用室外ユニットを連結するとともに、冷媒をこれら空調用室内ユニットおよび空調用室外ユニットの間で循環させるための冷媒配管とを備えてなることを特徴とする空気処理装置。
【発明の詳細な説明】
【技術分野】
【０００１】
本発明は、空気処理装置に関するものであり、特にアレルギーを引き起こす原因物質である生物由来のタンパク質を主成分としたアレルゲンをトラップし、アレルゲンを変性・分解させるアレルゲン不活性化フィルタを組み込んだ空気処理装置に関するものである。
【背景技術】
【０００２】
アレルゲン不活性化フィルタを具備した空気処理装置としては、フィルタの酵素が効力を発揮するために必要な水分として、冷房時に熱交換器に発生する凝縮水や冷却された空気の相対湿度が高くなることを利用したものが知られている（例えば、特許文献１参照）。
【特許文献１】特開２００３−２１０９１９号公報
【発明の開示】
【発明が解決しようとする課題】
【０００３】
しかしながら、上記特許文献１の発明において、冷房運転時にはフィルタの酵素に水分を与えることができるが、暖房運転時にはフィルタの酵素に水分を与えることができず、アレルゲンの不活性化率が著しく低下してしまうといった問題点があった。
【０００４】
本発明は、上記の事情に鑑みてなされたもので、冷房運転時、除湿運転時、暖房運転時、送風運転時等、いかなる運転モードにおいてもフィルタの酵素に水分を供給することができるとともに、アレルゲンの不活性化率を高めることができる空気処理装置を提供することを目的とする。
【課題を解決するための手段】
【０００５】
本発明は、上記課題を解決するため、以下の手段を採用した。
請求項１に記載の空調用室内ユニットは、室内または室外の空気を取り入れるための空気取入口と、前記空気取入口から取り入れられた空気を冷却または加熱するための室内熱交換器と、前記室内熱交換器で熱交換された空気を室内に戻すための空気吹出口と、前記空気取入口から空気を取り入れるとともに、前記空気吹出口から室内に熱交換された空気を吹き出させるための送風機と、フィルタ本体にアレルゲンを不活性化する機能を有する酵素を具備させたアレルゲン不活性化フィルタと、前記空気取入口から取り入れられた空気中の水蒸気量を増加させる加湿器とを具備する空調用室内ユニットであって、前記加湿器を通過した空気の少なくとも一部が、前記アレルゲン不活性化フィルタの上流側に導かれるように構成されていることを特徴とする。
このような空調用室内ユニットによれば、冷房運転時、除湿運転時、暖房運転時、送風運転時等、いかなる運転モードにおいてもアレルゲン不活性化フィルタの酵素に水分を供給することができて、アレルゲンの不活性化率を高めることができる。
【０００６】
請求項２に記載の空調用室内ユニットは、前記アレルゲン不活性化フィルタが、前記室内熱交換器の下流側に配置されていることを特徴とする。
このような空調用室内ユニットによれば、暖房運転時において、室内熱交換器を通過した高温の空気によりアレルゲン不活性化フィルタを高温状態に維持することができて、アレルゲンの不活性化率をより一層高めることができる。
【０００７】
請求項３に記載の空調用室内ユニットは、前記加湿器を通過した空気の全てが、前記アレルゲン不活性化フィルタの上流側に導かれるとともに、前記アレルゲン不活性化フィルタを通過した空気の全てが、前記加湿器の上流側に導かれるように構成されていることを特徴とする。
このような空調用室内ユニットによれば、加湿器を通過した空気がアレルゲン不活性化フィルタの上流側に戻され、このアレルゲン不活性化フィルタを通過した後に再び加湿器に戻されるように、すなわち、空気取入口から取り入れられた空気がユニット内を循環するように構成されている。したがって、例えば、一日の運転終了後等に、このような運転が行われることにより、アレルゲンを不活性化させるのに最も理想的な状態（雰囲気）を機内に作り出すことができて、その日一日で捕捉されたアレルゲンの略全てを確実に不活性化させることができる。
【０００８】
請求項４に記載の空気処理装置は、請求項１から３のいずれか一項に記載の空調用室内ユニットと、冷媒を圧縮するための圧縮機、および冷媒と室外の空気との熱交換を行わせるための室外熱交換器を有する空調用室外ユニットと、これら空調用室内ユニットおよび空調用室外ユニットを連結するとともに、冷媒をこれら空調用室内ユニットおよび空調用室外ユニットの間で循環させるための冷媒配管とを備えてなることを特徴とする。
このような空気処理装置によれば、アレルゲン不活性化フィルタによって捕集された花粉やダニ等といったアレルゲンの不活性化が確実に行われることとなり、室内には適宜温度調整されたクリーンな空気が戻されることとなる。
【発明の効果】
【０００９】
本発明によれば、冷房運転時、除湿運転時、暖房運転時、送風運転時等、いかなる運転モードにおいてもフィルタの酵素に水分を供給することができるとともに、アレルゲンの不活性化率を高めることができるという効果を奏する。
【発明を実施するための最良の形態】
【００１０】
以下、本発明による空気処理装置の第１実施形態について、図１を参照しながら説明する。
本実施形態による空気処理装置１０は、空調用室内ユニット１０ａと、空調用室外ユニット（図示せず）とを主たる要素として構成されたものである。
【００１１】
空調用室外ユニットは、冷媒を圧縮するための圧縮機、冷媒と室外の空気との熱交換を行わせるための室外熱交換器、および室外熱交換器における冷媒と室外の空気との熱交換を促進させる室外ファンを有するものである。
また、この空調用室外ユニットと空調用室内ユニット１０ａとは冷媒配管（図示せず）によって連結されており、この冷媒配管中を冷媒が循環するようになっている。
【００１２】
空調用室内ユニット１０ａは、外気を取り入れるための空気取入口１１と、室内に向かって処理された空気を吹き出す空気吹出口１２と、これら空気取入口１１および空気吹出口１２を連通するダクト１３と、空気取入口１１から空気を取り入れるとともに、この空気を空気吹出口１２から吹き出させる送風機１４と、送風機１４によりダクト１３内を移動させられる空気を冷却または加熱する室内熱交換器１５と、空気取入口１１を通過して室内熱交換器１５に導かれる空気中から塵・ゴミ等の不純物を取り除くプレフィルタ１６と、図示しない水タンクから供給される水を気化する加湿器１７と、アレルゲンを不活性化させることができる機能を有するアレルゲン不活性化フィルタ１８とを主たる要素として構成された、いわゆる「ダクト型室内機」と呼ばれるものである。なお、加湿器に供給される水は、水タンクから供給されるものに限られず、水道管から減圧弁を介して供給されるものでも良い。また、加湿器１７は、加湿方式によって限定されるものではなく、透湿膜気化式、滴下浸透気化式、蒸気式、水噴霧式等の加湿方式であれば本発明に適用できる。
【００１３】
送風機１４、室内熱交換器１５、プレフィルタ１６、加湿器１７、およびアレルゲン不活性化フィルタ１８は、ダクト１３内に収容されているとともに、上流側（空気取入口１１側）から下流側（空気吹出口１２側）に向かってプレフィルタ１６、室内熱交換器１５、送風機１４、加湿器１７、アレルゲン不活性化フィルタ１８の順に配置されている。
【００１４】
室内熱交換器１５は、前述した冷媒配管を介して圧縮機、室外熱交換器、および膨張弁等と接続されており、これら構成要素により冷凍サイクルおよびホットサイクルが形成されている。
なお、送風機１４、室内熱交換器１５、圧縮機、室外熱交換器、膨張弁、およびプレフィルタ１６については従来周知のものであるので、ここではその説明は省略する。
また、加湿器１７はいかなる形態のものであってもよく、例えば、ナノミストのような透湿膜気化式、滴下浸透気化式、蒸気式、水噴霧式等の加湿器が用いられる。
【００１５】
アレルゲン不活性化フィルタ１８は、フィルタ本体と、このフィルタ本体を構成する繊維に担持された酵素とを備えている。
フィルタ本体の材質としては、例えば、綿や羊毛などの天然繊維、レーヨンや酢酸セルロースなどの再生繊維、ポリエチレンやポリエチレンテレフタレートやポリアミドなどの合成繊維の不織布または編織物、ガラス繊維マット、金属繊維マット、さらにはアクリル酸系、アクリルアミド系、ポリビルアルコール系などの合成樹脂、あるいはアルギン酸ナトリウム、マンナン、寒天などの天然・再生材料である吸水性および／または吸湿性材料が使用される。
また、酵素としては、アレルゲンを構成するタンパク質を変成もしくは分解できるものであり、特に限定はないが、例えば、プロテアーゼやペプチターゼが挙げられる。前記プロテアーゼは、タンパク質分子のペプチド結合を加水分解する酵素で、タンパク質はペプトン化される。また、ペプチアーゼは、ペプチド鎮のアミノ末端あるいはカルボキシ末端のペプシド結合を加水分解する働きがある。更に、適用する酵素は、酸性・中性・塩基性の酵素が利用可能であり、１００万Ｕ（１分間に１μｍｏｌのタンパク質を分解する酵素の単位）のものである。但し、これ以上でも何ら問題ない。
【００１６】
酵素を繊維に担持させる方法としては、物理的に担持する形態には限らず、化学的に担持する形態も利用できる。例えば、基材のカルボキシル基をアジト化し、アミド結合により酵素と化学結合させることで、酵素を基材に担持させることができる。なお、カルボキシル基に限らず、水酸基やアミノ基等の官能基であっても、化学結合に利用することができる。このように、化学的に担持する方法は、従来から知られている（新実験化学講座  生物化学（Ｉ），ｐ．３６３〜４０９，丸善（１９７８））。
【００１７】
また、吸水性および／または吸湿性を有する担持体に酵素を担持させ、更に前記担持体をバインダーを用いて繊維に固定させることもできる。
担持体の材質としては、例えば、ポリアクリル酸系，ポリアクリルアミド系，ポリビニルアルコール系などの合成材料、あるいは綿，羊毛，アルギン酸ナトリウム，マンナン，寒天などの天然材料、あるいはレーヨンなどの再生材料等が挙げられる。
また、繊維の材質としては、例えば、ポリエチレン（ＰＥ）、ポリプロピレン（ＰＰ）、ポリエチレンテレフタレート（ＰＥＴ）、ポリアミド（ＰＡ）が好適である。
【００１８】
本実施形態による空気処理装置１０によれば、アレルゲン不活性化フィルタ１８の上流側に、供給された水を気化（水蒸気化）する加湿器１７が配置されているので、冷房運転時、除湿運転時、暖房運転時、送風運転時等、いかなる運転モードにおいてもアレルゲン不活性化フィルタ１８の酵素に水分を供給することができ、アレルゲンの不活性化率を高めることができる。
【００１９】
本発明による空気処理装置の第２実施形態について、図２を参照しながら説明する。
本実施形態における空気処理装置２０は、その空調用室内ユニット２０ａ内に具備されたアレルゲン不活性化フィルタ１８がプレフィルタ１６と室内熱交換器１５との間に配置され、かつ加湿器１７を通過した空気の一部をアレルゲン不活性化フィルタ１８の上流側に戻す戻し管２１が設けられているという点で前述した実施形態のものと異なる。その他の構成要素については前述した実施形態のものと同じであるので、ここではそれら構成要素についての説明は省略する。
なお、前述した実施形態と同一の部材には同一の符号を付している。
【００２０】
図２に示すように、戻し管２１は、加湿器１７の下流側近傍に空気流入口２１ａを有するとともに、プレフィルタ１６とアレルゲン不活性化フィルタ１８との間に空気流出口２１ｂを有する配管である。
これにより、加湿器１７により加湿された空気の一部が、戻し管２１を介してアレルゲン不活性化フィルタ１８の上流側に戻され、この加湿された空気によりアレルゲン不活性化フィルタ１８の酵素に水分が供給されるようになっている。
【００２１】
本実施形態による空気処理装置２０によれば、室内熱交換器１５、送風機１４、および加湿器１７の上流側にアレルゲン不活性化フィルタ１８が配置されているので、これら室内熱交換器１５、送風機１４、および加湿器１７がアレルゲンによって汚染されてしまうことを防止することができて、メンテナンス時におけるアレルゲンの飛散を防止することができる。
その他の作用効果は、前述した第１実施形態のものと同じであるのでここではその説明を省略する。
なお、アレルゲン不活性化フィルタ１８にプレフィルタ１６の役目を兼ねさせることにより、プレフィルタ１６自体を省略してしまうことも可能である。
【００２２】
本発明による空気処理装置の第３実施形態について、図３を参照しながら説明する。
本実施形態における空気処理装置３０は、その空調用室内ユニット３０ａ内に、空気流入口２１ａを開閉するダンパ３１が設けられているという点で前述した実施形態のものと異なる。その他の構成要素については前述した実施形態のものと同じであるので、ここではそれら構成要素についての説明は省略する。
なお、前述した実施形態と同一の部材には同一の符号を付している。
【００２３】
図３に示すように、ダンパ３１は、空気流入口２１ａの部分に配置されており、ダンパ３１が開放されることにより加湿器１７により加湿された空気の一部が、戻し管２１を介してアレルゲン不活性化フィルタ１８の上流側に戻され、ダンパ３１が閉鎖されることにより加湿器１７を通過した空気の全部が、空気吹出口１２を通って室内に供給されるようになっている。
すなわち、アレルゲン不活性化フィルタ１８に水分を与えたいとき（アレルゲン不活性化フィルタ１８の近傍に配置した湿度センサ（図示せず）の値が第１の設定値よりも下がったとき）にダンパ３１を開放するようにし、アレルゲン不活性化フィルタ１８に水分を与えたくないとき（アレルゲン不活性化フィルタ１８の近傍に配置した湿度センサ（図示せず）の値が第２の設定値よりも上がったとき）にダンパ３１を閉鎖するように構成されている。
【００２４】
本実施形態による空気処理装置３０によれば、ダンパ３１によりアレルゲン不活性化フィルタ１８に水分を与えたいときだけ温度調整および加湿された空気が戻し管２１を介してアレルゲン不活性化フィルタ１８の上流側に戻されるようになっているので、機内循環によるロスを極力少なくすることができる。
また、ダンパ３１の開閉によりアレルゲン不活性化フィルタ１８近傍の湿度を適宜所望の値に維持させることができる。
その他の作用効果は、前述した第２実施形態のものと同じであるのでここではその説明を省略する。
【００２５】
本発明による空気処理装置の第４実施形態について、図４を参照しながら説明する。
本実施形態における空気処理装置４０は、その空調用室内ユニット４０ａ内に具備されたアレルゲン不活性化フィルタ１８が室内熱交換器１５と送風機１４との間に配置され、かつ加湿器１７を通過した空気の一部をアレルゲン不活性化フィルタ１８の上流側に戻す戻し管４１が設けられているという点で前述した実施形態のものと異なる。その他の構成要素については前述した実施形態のものと同じであるので、ここではそれら構成要素についての説明は省略する。
なお、前述した実施形態と同一の部材には同一の符号を付している。
【００２６】
図４に示すように、戻し管４１は、加湿器１７の下流側近傍に空気流入口４１ａを有するとともに、室内熱交換器１５とアレルゲン不活性化フィルタ１８との間に空気流出口４１ｂを有する配管である。
これにより、加湿器１７により加湿された空気の一部が、戻し管４１を介してアレルゲン不活性化フィルタ１８の上流側に戻され、この加湿された空気によりアレルゲン不活性化フィルタ１８の酵素に水分が供給されるようになっている。
また、暖房運転時には、室内熱交換器１５を通過した高温の空気が最短距離でアレルゲン不活性化フィルタ１８に到達することとなって、アレルゲン不活性化フィルタ１８が高温に維持されることとなる。
【００２７】
本実施形態による空気処理装置４０によれば、室内熱交換器１５の下流側近傍（下流側の最も近い位置）にアレルゲン不活性化フィルタ１８が配置されているので、暖房運転時には、室内熱交換器１５を通過した高温の空気によりアレルゲン不活性化フィルタ１８を高温状態に維持することができて、アレルゲンの不活性化率をより一層高めることができる。
また、戻し管４１を介してアレルゲン不活性化フィルタ１８の上流側に戻された空気は、室内熱交換器１５に触れることなくアレルゲン不活性化フィルタ１８に供給されるようになっているので、冷房運転時あるいは除湿運転時における室内熱交換器１５での凝縮水の量を最小限とすることができる。
さらに、戻し管４１の管路長を前述した戻し管２１の管路長よりも短くすることができるので、機内循環によるロスを上述した第２実施形態および第３実施形態のものよりも少なくすることができる。
その他の作用効果は、前述した実施形態のものと同じであるのでここではその説明を省略する。
また、これまで説明した第４実施形態に、上述した第３実施形態のダンパ３１を設けることもできる。すなわち、アレルゲン不活性化フィルタ１８に水分を与えたいときだけ温度調整および加湿された空気が戻し管４１を介してアレルゲン不活性化フィルタ１８の上流側に戻されることとなるので、機内循環によるロスを極力少なくすることができる。
【００２８】
本発明による空気処理装置の第５実施形態について、図５を参照しながら説明する。
本実施形態における空気処理装置５０は、その空調用室内ユニット５０ａ内に、加湿器１７の下流側に位置するダクト１３の流路を開閉するダンパ５１が設けられているという点で前述した実施形態のものと異なる。その他の構成要素については前述した実施形態のものと同じであるので、ここではそれら構成要素についての説明は省略する。
なお、前述した実施形態と同一の部材には同一の符号を付している。
【００２９】
図５に示すように、ダンパ５１は、加湿器１７の下流側に位置するダクト１３内に配置されており、ダンパ５１が開放されることにより加湿器１７を通過した空気が、空気吹出口１２を通って室内に供給され、ダンパ５１が閉鎖されることにより加湿器１７を通過した空気の全部が、戻し管４１を介してアレルゲン不活性化フィルタ１８の上流側に戻されるとともに空気が機内を循環するようになっている。
【００３０】
本実施形態による空気処理装置５０によれば、例えば、一日の運転終了後等に、ダンパ５１を閉鎖することによりアレルゲンを不活性化させるのに最も理想的な状態（雰囲気）を機内に作り出すことができて、その日一日で捕捉されたアレルゲンの略全てを確実に不活性化させることができる。
また、このような高温多湿空気の機内循環は、ダンパ５１が閉鎖されていれば、機内の高温多湿の空気が空気吹出口１２を通って室内に漏れ出ることはないので、高温多湿を不快に感じる夏場においても実施可能である。
【００３１】
本発明による空気処理装置の第６実施形態について、図６を参照しながら説明する。
本実施形態における空気処理装置６０は、その空調用室内ユニット６０ａの空気取入口１１ａが室内に設けられ、この空気取入口１１ａを介して室内の空気が空調用室内ユニット６０ａ内に取り込まれるようになっているという点で前述した第２実施形態のものと異なる。その他の構成要素については前述した実施形態のものと同じであるので、ここではそれら構成要素についての説明は省略する。
なお、前述した実施形態と同一の部材には同一の符号を付している。
【００３２】
本実施形態による空気処理装置６０によれば、室内熱交換器１５、送風機１４、および加湿器１７の上流側にアレルゲン不活性化フィルタ１８が配置されているので、これら室内熱交換器１５、送風機１４、および加湿器１７がアレルゲンによって汚染されてしまうことを防止することができて、メンテナンス時におけるアレルゲンの飛散を防止することができる。
その他の作用効果は、前述した第１実施形態のものと同じであるのでここではその説明を省略する。
なお、アレルゲン不活性化フィルタ１８にプレフィルタ１６の役目を兼ねさせることにより、プレフィルタ１６自体を省略してしまうことも可能である。
また、本実施形態による空気処理装置６０ａに、前述した第３実施形態、または第４実施形態、若しくは第５実施形態のところで説明した構成を適用することも可能である。
【００３３】
本発明による空気処理装置の第７実施形態について、図７を参照しながら説明する。
本実施形態による空気処理装置７０は、空調用室内ユニット７０ａと、空調用室外ユニット（図示せず）とを主たる要素として構成されたものである。
【００３４】
空調用室外ユニットは、冷媒を圧縮するための圧縮機、冷媒と室外の空気との熱交換を行わせるための室外熱交換器、および室外熱交換器における冷媒と室外の空気との熱交換を促進させる室外ファンを有するものである。
また、この空調用室外ユニットと空調用室内ユニット７０ａとは冷媒配管（図示せず）によって連結されており、この冷媒配管中を冷媒が循環するようになっている。
【００３５】
空調用室内ユニット７０ａは、室内の空気を取り入れるための空気取入口１１ａと、室内に向かって処理された空気を吹き出す空気吹出口１２と、空気取入口１１から空気を取り入れるとともに、この空気を空気吹出口１２から吹き出させる送風機１４と、送風機１４により当該ユニット内を移動させられる空気を冷却または加熱する室内熱交換器１５と、図示しない水タンクから供給される水を気化する加湿器１７と、アレルゲンを不活性化させることができる機能を有するアレルゲン不活性化フィルタ１８とを主たる要素として構成された、いわゆる「天井埋め込み型室内機」と呼ばれるものである。なお、加湿器に供給される水は、水タンクから供給されるものに限られず、水道管から減圧弁を介して供給されるものでも良い。
【００３６】
空気吹出口１２は、空気取入口１１ａを取り囲むように４箇所（あるいは２箇所）設けられており、各空気吹出口１２内にはそれぞれ風向変更用のフラップ７１が配置されている。これら風向変更用のフラップ７１は、アレルゲン不活性化フィルタ１８に水分を与えたいときに、各空気吹出口１２から吹き出された空気を空気取入口１１ａの方へ戻すことができるように構成されている。すなわち、空調された空気を意図的にショートサーキットさせることができるように構成されている。
【００３７】
室内熱交換器１５は、前述した冷媒配管を介して圧縮機、室外熱交換器、および膨張弁等と接続されており、これら構成要素により冷凍サイクルおよびホットサイクルが形成されている。
なお、送風機１４、室内熱交換器１５、圧縮機、室外熱交換器、膨張弁、およびプレフィルタ１６については従来周知のものであるので、ここではその説明は省略する。
【００３８】
加湿器１７は、室内熱交換器１５の下流側、すなわち、室内熱交換器１５の外側（外周側）に配置されている。
また、アレルゲン不活性化フィルタ１８は、その中央部に空気取入口１１ａが形成されたパネル７２の内面（図において上面）に近接配置され、空気取入口１１ａを通過して空調用室内ユニット７０ａ内に導かれる空気中から塵・ゴミ等の不純物を取り除くように構成されている。
これら加湿器１７およびアレルゲン不活性化フィルタ１８については、第１実施形態のところで詳しく述べたのでここではその説明を省略する。
【００３９】
本実施形態による空気処理装置７０によれば、加湿器１７により加湿された空気が、フラップ７１によって空気取入口１１ａ（すなわち、アレルゲン不活性化フィルタ１８）の方へ効率よく（最短距離で）導かれることとなるので、冷房運転時、除湿運転時、暖房運転時、送風運転時等、いかなる運転モードにおいてもアレルゲン不活性化フィルタ１８の酵素に水分を供給することができ、アレルゲンの不活性化率を高めることができる。
【００４０】
本発明による空気処理装置の第８実施形態について、図８を参照しながら説明する。
本実施形態における空気処理装置８０は、その空調用室内ユニット８０ａのパネル８２に形成された空気取入口１１ａが、パネル８２の周縁部に形成されているという点で前述した第７実施形態のものと異なる。その他の構成要素については前述した実施形態のものと同じであるので、ここではそれら構成要素についての説明は省略する。
なお、前述した実施形態と同一の部材には同一の符号を付している。
また、作用効果についても前述した第７実施形態のものと同じであるのでここではその説明を省略する。
【００４１】
本発明による空気処理装置の第９実施形態について、図９を参照しながら説明する。
本実施形態による空気処理装置９０は、空調用室内ユニット９０ａと、空調用室外ユニット（図示せず）とを主たる要素として構成されたものである。
【００４２】
空調用室外ユニットは、冷媒を圧縮するための圧縮機、冷媒と室外の空気との熱交換を行わせるための室外熱交換器、および室外熱交換器における冷媒と室外の空気との熱交換を促進させる室外ファンを有するものである。
また、この空調用室外ユニットと空調用室内ユニット９０ａとは冷媒配管（図示せず）によって連結されており、この冷媒配管中を冷媒が循環するようになっている。
【００４３】
空調用室内ユニット９０ａは、室内の空気を取り入れるための空気取入口１１ａと、室内に向かって処理された空気を吹き出す空気吹出口１２と、空気取入口１１から空気を取り入れるとともに、この空気を空気吹出口１２から吹き出させる送風機１４と、送風機１４により当該ユニット内を移動させられる空気を冷却または加熱する室内熱交換器１５と、水を気化する加湿器１７と、アレルゲンを不活性化させることができる機能を有するアレルゲン不活性化フィルタ１８とを主たる要素として構成された、いわゆる「天井吊型室内機」と呼ばれるものである。
【００４４】
空気吹出口１２には風向変更用のフラップ９１が配置されているとともに、空調用室内ユニット９０ａ内には加湿器１７を通過した空気の一部あるいは全部をアレルゲン不活性化フィルタ１８に向けて戻す戻し風路９２が形成されている。
風向変更用のフラップ９１は、アレルゲン不活性化フィルタ１８に極力十分な水分を与えたいときに全閉とされ、加湿器１７を通過した空気の全てを戻し風路９２を介してアレルゲン不活性化フィルタ１８の方へ戻すことができるように構成されている。すなわち、空調された空気を意図的にショートサーキットさせることができるように構成されている。
【００４５】
室内熱交換器１５は、前述した冷媒配管を介して圧縮機、室外熱交換器、および膨張弁等と接続されており、これら構成要素により冷凍サイクルおよびホットサイクルが形成されている。
なお、送風機１４、室内熱交換器１５、圧縮機、室外熱交換器、膨張弁、およびプレフィルタ１６については従来周知のものであるので、ここではその説明は省略する。
【００４６】
加湿器１７は、室内熱交換器１５の下流側、すなわち、室内熱交換器１５の前面側に配置されている。
また、アレルゲン不活性化フィルタ１８は、その中央部に空気取入口１１ａが形成されたパネル９３の内面（図において上面）に近接配置され、空気取入口１１ａを通過して空調用室内ユニット９０ａ内に導かれる空気中から塵・ゴミ等の不純物を取り除くように構成されている。
これらアレルゲン不活性化フィルタ１８については、第１実施形態のところで詳しく述べたのでここではその説明を省略する。
【００４７】
本実施形態による空気処理装置９０によれば、加湿器１７により加湿された空気が、戻し風路９２を通って常にアレルゲン不活性化フィルタ１８に供給されるようになっているので、冷房運転時、除湿運転時、暖房運転時、送風運転時等、いかなる運転モードにおいてもアレルゲン不活性化フィルタ１８の酵素に水分を供給することができ、アレルゲンの不活性化率を高めることができる。
また、フラップ９１が閉鎖されることにより加湿器１７を通過した空気の全部が、戻し風路９２を介してアレルゲン不活性化フィルタ１８の方に戻されるとともに空気が機内を循環するようになっているので、例えば、一日の運転終了後等に、フラップ９１を閉鎖することによりアレルゲンを不活性化させるのに最も理想的な状態（雰囲気）を機内に作り出すことができて、その日一日で捕捉されたアレルゲンの略全てを確実に不活性化させることができる。
さらに、このような高温多湿空気の機内循環は、フラップ９１が閉鎖されていれば、機内の高温多湿の空気が空気吹出口１２を通って室内に漏れ出ることはないので、高温多湿を不快に感じる夏場においても実施可能である。
【００４８】
本発明による空気処理装置の第１０実施形態について、図１０を参照しながら説明する。
本実施形態による空気処理装置１００は、空調用室内ユニット１００ａと、空調用室外ユニット（図示せず）とを主たる要素として構成されたものである。
【００４９】
空調用室外ユニットは、冷媒を圧縮するための圧縮機、冷媒と室外の空気との熱交換を行わせるための室外熱交換器、および室外熱交換器における冷媒と室外の空気との熱交換を促進させる室外ファンを有するものである。
また、この空調用室外ユニットと空調用室内ユニット１００ａとは冷媒配管（図示せず）によって連結されており、この冷媒配管中を冷媒が循環するようになっている。
【００５０】
空調用室内ユニット１００ａは、室内の空気を取り入れるための空気取入口１１ａと、室内に向かって処理された空気を吹き出す空気吹出口１２と、空気取入口１１から空気を取り入れるとともに、この空気を空気吹出口１２から吹き出させる送風機１４と、送風機１４により当該ユニット内を移動させられる空気を冷却または加熱する室内熱交換器１５と、図示しない水タンクから供給される水を気化する加湿器１７と、アレルゲンを不活性化させることができる機能を有するアレルゲン不活性化フィルタ１８とを主たる要素として構成された、いわゆる「床置き型室内機」と呼ばれるものである。
【００５１】
空調用室内ユニット１００ａの前面側（図において左側）には、室内熱交換器１５および加湿器１７を通過した空気の一部をアレルゲン不活性化フィルタ１８に向けて戻す戻し風路１０１が形成されている。
また、この戻し風路１０１の入口には、当該戻し風路１０１を開閉するダンパ１０２が設けられている
【００５２】
室内熱交換器１５は、前述した冷媒配管を介して圧縮機、室外熱交換器、および膨張弁等と接続されており、これら構成要素により冷凍サイクルおよびホットサイクルが形成されている。
なお、送風機１４、室内熱交換器１５、圧縮機、室外熱交換器、膨張弁、およびプレフィルタ１６については従来周知のものであるので、ここではその説明は省略する。
【００５３】
加湿器１７は、室内熱交換器１５の下流側、すなわち、室内熱交換器１５の前面側に配置されている。
また、アレルゲン不活性化フィルタ１８は、その中央部に空気取入口１１ａが形成されたパネル１０３の内面（背面）に近接配置され、空気取入口１１ａを通過して空調用室内ユニット１００ａ内に導かれる空気中から塵・ゴミ等の不純物を取り除くように構成されている。
これら加湿器１７およびアレルゲン不活性化フィルタ１８については、第１実施形態のところで詳しく述べたのでここではその説明を省略する。
【００５４】
本実施形態による空気処理装置１００によれば、ダンパ１０２によりアレルゲン不活性化フィルタ１８に水分を与えたいときだけ温度調整および加湿された空気が戻し風路１０１を介してアレルゲン不活性化フィルタ１８の方に戻されるようになっているので、機内循環によるロスを極力少なくすることができる。
また、ダンパ１０２の開閉によりアレルゲン不活性化フィルタ１８近傍の湿度を適宜所望の値に維持させることができる。
また、吹出し口１２に風向制御のために設けているフラップ１０４または縦ルーバ１０５を用いて吹出し口１２を閉鎖されることにより加湿器１７を通過した空気の全部が、戻し風路１０１を介してアレルゲン不活性化フィルタ１８の方に戻されるとともに空気が機内を循環するようになっているので、例えば、一日の運転終了後等に、フラップ９１を閉鎖することによりアレルゲンを不活性化させるのに最も理想的な状態（雰囲気）を機内に作り出すことができる。これにより、その日一日で捕捉されたアレルゲンの略全てを確実に不活性化させることができる。
さらに、このような高温多湿空気の機内循環は、フラップ１０４または縦ルーバ１０５が閉鎖されていれば、機内の高温多湿の空気が空気吹出口１２を通って室内に漏れ出ることはないので、高温多湿を不快に感じる夏場においても実施可能である。
その他の作用効果は、前述した第２実施形態のものと同じであるのでここではその説明を省略する。
【図面の簡単な説明】
【００５５】
【図１】本発明による空気処理装置の第１実施形態を示す図であって、空調用室内ユニットの概略縦断面図である。
【図２】本発明による空気処理装置の第２実施形態を示す図であって、空調用室内ユニットの概略縦断面図である。
【図３】本発明による空気処理装置の第３実施形態を示す図であって、空調用室内ユニットの概略縦断面図である。
【図４】本発明による空気処理装置の第４実施形態を示す図であって、空調用室内ユニットの概略縦断面図である。
【図５】本発明による空気処理装置の第５実施形態を示す図であって、空調用室内ユニットの概略縦断面図である。
【図６】本発明による空気処理装置の第６実施形態を示す図であって、空調用室内ユニットの概略縦断面図である。
【図７】本発明による空気処理装置の第７実施形態を示す図であって、空調用室内ユニットの概略縦断面図である。
【図８】本発明による空気処理装置の第８実施形態を示す図であって、空調用室内ユニットの概略縦断面図である。
【図９】本発明による空気処理装置の第９実施形態を示す図であって、空調用室内ユニットの概略縦断面図である。
【図１０】本発明による空気処理装置の第１０実施形態を示す図であって、空調用室内ユニットの概略縦断面図である。
【符号の説明】
【００５６】
１０    空気処理装置
１０ａ  空調用室内ユニット
１１    空気取入口
１１ａ  空気取入口
１２    空気吹出口
１４    送風機
１５    室内熱交換器
１７    加湿器
１８    アレルゲン不活性化フィルタ
２０    空気処理装置
２０ａ  空調用室内ユニット
３０    空気処理装置
３０ａ  空調用室内ユニット
４０    空気処理装置
４０ａ  空調用室内ユニット
５０    空気処理装置
５０ａ  空調用室内ユニット
６０    空気処理装置
６０ａ  空調用室内ユニット
７０    空気処理装置
７０ａ  空調用室内ユニット
８０    空気処理装置
８０ａ  空調用室内ユニット
９０    空気処理装置
９０ａ  空調用室内ユニット
１００    空気処理装置
１００ａ  空調用室内ユニット
【図１】
2006242393.tif 000003
【図２】
2006242393.tif 000004
【図３】
2006242393.tif 000005
【図４】
2006242393.tif 000006
【図５】
2006242393.tif 000007
【図６】
2006242393.tif 000008
【図７】
2006242393.tif 000009
【図８】
2006242393.tif 000010
【図９】
2006242393.tif 000011
【図１０】
2006242393.tif 000012